【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
少なくとも１つのアナログ増幅素子を含む信号チェーン用のデジタル補償器であって、
希望信号を受け取る入力装置と、
被補償信号を提供する出力装置と、
複数の係数の記憶装置と、
前記入力装置と前記出力装置とに連結され、希望信号を処理し、前記複数の係数に応じた前記被補償信号を生成するための信号処理装置と、
を備え、
前記信号処理装置は、基底合成ステージに連結された基底生成ステージを備え、
前記基底生成ステージは、複数の基底生成要素を含み、前記複数の基底生成要素の各々が、前記入力装置に提供された前記希望信号に依存する基底信号を生成するように構成され、
前記基底生成要素の少なくともいくつかは、前記希望信号の非線形変換を生成するように構成された非線形要素と、前記非線形変換の時間フィルタリングを生成するように構成されたフィルタとをそれぞれ備え、
前記基底合成ステージは、前記基底生成要素から前記複数の基底信号を受け取り、且つ、前記複数の係数に応じて前記基底信号から合成信号を生成するように構成され、
前記デジタル補償器は、前記基底合成ステージによって生成された前記合成信号に応じて、前記出力装置で前記被補償信号を提供するように構成されている、
デジタル補償器。
【請求項２】
前記デジタル補償器は、無線通信システムの送信チェーンを備える信号チェーンに連結されている、請求項１に記載のデジタル補償器。
【請求項３】
前記入力装置と前記基底生成ステージの間に連結された線形時不変フィルタを更に備える、請求項１に記載のデジタル補償器。
【請求項４】
前記入力装置と前記基底生成ステージの間に連結された前記線形時不変フィルタは、前記信号チェーンの特性に応じて構成されている、請求項３に記載のデジタル補償器。
【請求項５】
前記基底生成要素の前記非線形要素の少なくともいくつかは、各々、多項式変換を実行する、請求項１に記載のデジタル補償器。
【請求項６】
前記非線形要素の少なくとも１つによって実行される多項式変換は、入力ｕを受け取り、正整数ｋについて｜ｕ｜ｋまたはｕ｜ｕ｜ｋの形式の出力を生成する、請求項５に記載のデジタル補償器。
【請求項７】
前記基底生成要素の前記フィルタの少なくともいくつかは、各々、線形無限インパルス応答（ＩＩＲ）フィルタを実行する、請求項１に記載のデジタル補償器。
【請求項８】
前記基底生成要素の少なくともいくつかは、各々、非多項式非線形要素を備え、前記非多項式非線形要素は、前記フィルタの出力を処理し、且つ、前記非多項式非線形要素の入力の履歴に依存する前記基底生成要素の出力を生成するように構成されている、請求項１に記載のデジタル補償器。
【請求項９】
前記基底非多項式非線形要素の少なくともいくつかは、正規化要素であり、前記正規化要素は、前記フィルタの出力を処理し、且つ、前記正規化要素の入力の履歴に依存する前記基底生成要素の出力を生成するように構成されている、請求項８に記載のデジタル補償器。
【請求項１０】
前記基底合成ステージは、前記基底信号の平均多項式合成を実行するように構成されている、請求項１に記載のデジタル補償器。
【請求項１１】
前記基底合成ステージは、正整数Ｓについて、基底信号値ｗ１からｗＳまでを受け取り、且つ、式（１）の整数インデックスiおよびjの積の整数インデックスkの合計を表す合成信号を生成するように構成されている、請求項１０に記載のデジタル補償器。
【数１】
2019500782.tif 000001
ここで、ｗ＊はｗの複素共役を示し、項ａｋは前記係数に依存し、前記項の整数指数ｂｋ，ｉとｃｋ，ｊは式（２）を満たす。
【数２】
2019500782.tif 000002
【請求項１２】
前記係数の値を与えるように構成されている係数補間器を更に備える、請求項１に記載のデジタル補償器。
【請求項１３】
前記係数補間器は、データベースにアクセスして、部分シグネチャおよび環境変数の少なくとも１つに応じて前記係数の前記値を決定するように構成されている、請求項１２に記載のデジタル補償器。
【請求項１４】
前記係数補間器は更に、前記信号チェーンに連結され、または、関連付けられた記憶装置から前記部分シグネチャにアクセスするように構成され、前記部分シグネチャは、前記信号チェーンの実質的に特有の特性を表す、請求項１３に記載のデジタル補償器。
【請求項１５】
前記部分シグネチャは、前記信号チェーンの非線形特性を表す少なくとも１つの量を実質的に含む、請求項１４に記載のデジタル補償器。
【請求項１６】
前記係数補間器は更に、前記信号チェーンに動作上連結された記憶装置から前記環境変数にアクセスするように構成され、前記環境変数は動作中、前記動作する信号チェーンの動作上、且つ／または、環境的な特性を表す、請求項１３に記載のデジタル補償器。
【請求項１７】
前記環境変数は、動作温度および供給電力のうち少なくとも１つを表す量を含む、請求項１６に記載のデジタル補償器。
【請求項１８】
少なくとも１つのアナログ増幅素子を含む信号チェーン用のデジタル補償の方法であって、
希望信号を受け取ること；
複数の係数に応じて被補償信号を生成するように、前記希望信号を処理すること；および、
前記信号チェーンに前記被補償信号を提供すること、
を含み、
ここで、
前記希望信号を処理することは、
前記希望信号に各々依存する複数の基底信号を生成する基底合成ステージ、ここで、前記基底信号のうち少なくともいくつかの各基底信号を生成することは、前記希望信号の非線形変換の実行と、前記希望信号の前記非線形変換の時間フィルタリングとを含む、において、前記希望信号に依存する信号を処理すること；
前記複数の係数に応じて前記複数の基底信号を合成することで、合成信号を生成すること；および、
前記合成信号に応じて前記被補償信号を決定すること、
を含む、方法。
【請求項１９】
前記信号チェーンに前記被補償信号を与えることは、無線通信システムの送信チェーンに前記被補償信号を与えることを含む、請求項１８に記載のデジタル補償の方法。
【請求項２０】
前記基底生成ステージでの処理の前に前記希望信号の入力に線形時不変フィルタを適用することを更に含む、請求項１８に記載のデジタル補償の方法。
【請求項２１】
前記信号チェーンの特性に応じて、前記線形時不変フィルタを構成することを更に含む、請求項２０に記載のデジタル補償の方法。
【請求項２２】
前記希望信号の非線形変換を実行することは、多項式変換を適用することを含む、請求項１８に記載のデジタル補償の方法。
【請求項２３】
前記多項式変換は、入力ｕを受け取り、正整数ｋについて｜ｕ｜ｋまたはｕ｜ｕ｜ｋの形式の出力を生成することを含む、請求項２２に記載のデジタル補償の方法。
【請求項２４】
前記基底合成ステージでの時間フィルタリングは、線形無限インパルス応答（ＩＩＲ）フィルタリングを含む、請求項１８に記載のデジタル補償の方法。
【請求項２５】
前記希望信号の非線形変換を実行することは、非多項式非線形変換を適用し、且つ、前記非多項式非線形変換の入力の履歴に依存する前記フィルタの出力を処理することを含む、請求項１８に記載のデジタル補償の方法。
【請求項２６】
前記非多項式非線形変換の少なくともいくつかは、正規化を含み、前記正規化は、前記フィルタの出力を処理し、且つ、前記正規化の入力の履歴に依存する出力を生成する、請求項２５に記載のデジタル補償の方法。
【請求項２７】
前記基底合成ステージは、前記基底信号の平均多項式合成を実行する、請求項１８に記載のデジタル補償の方法。
【請求項２８】
前記基底合成ステージは、正整数Ｓについて、基底信号値ｗ１からｗＳまでを受け取り、且つ、式（３）の整数インデックスiおよびjの積の整数インデックスkの合計を表す合成信号を生成する、請求項２７に記載のデジタル補償の方法。
【数３】
2019500782.tif 000003
ここで、ｗ＊はｗの複素共役を示し、項ａｋは前記係数に依存し、前記項の整数指数ｂｋ，ｉとｃｋ，ｊは式（４）を満たす。
【数４】
2019500782.tif 000004
【請求項２９】
前記係数の値を与える係数補間器を適用することを更に含む、請求項１８に記載のデジタル補償の方法。
【請求項３０】
前記係数補間器は、データベースにアクセスして、部分シグネチャおよび環境変数の少なくとも１つに応じて前記係数の前記値を決定する、請求項２９に記載のデジタル補償の方法。
【請求項３１】
前記係数補間器は更に、前記信号チェーンに連結され、または、関連付けられた記憶装置から前記部分シグネチャにアクセスするように構成され、前記部分シグネチャは、前記信号チェーンの実質的に特有の特性を表す、請求項３０に記載のデジタル補償の方法。
【請求項３２】
前記部分シグネチャは、前記信号チェーンの非線形特性を表す少なくとも１つの量を実質的に含む、請求項３１に記載のデジタル補償の方法。
【請求項３３】
前記係数補間器は更に、前記信号チェーンに動作上連結された記憶装置から前記環境変数にアクセスするように構成され、前記環境変数は動作中、前記動作する信号チェーンの動作上、且つ／または、環境的な特性を表す、請求項３０に記載のデジタル補償の方法。
【請求項３４】
前記環境変数は、動作温度および供給電力のすくなくとも１つを表す量を含む、請求項３３に記載のデジタル補償の方法。
【請求項３５】
データ処理システムに実行させる命令であって、
希望信号を受け取ること；
複数の係数に応じて被補償信号を生成するように、前記希望信号を処理すること；および、
前記信号チェーンに前記被補償信号を提供すること、
をデータ処理システムにさせる指示の実行であるソフトウェアであって、
ここで、
前記希望信号を処理することは、
前記希望信号に各々依存する複数の基底信号を生成する基底合成ステージ、ここで、前記基底信号のうち少なくともいくつかの各基底信号の生成には、前記希望信号の非線形変換の実行と、前記希望信号の前記非線形変換の時間フィルタリングと含む、において、前記希望信号に依存する信号を処理すること；
前記複数の係数に応じて前記複数の基底信号を合成することで、合成信号を生成すること；および、
前記合成信号に応じて前記被補償信号を決定すること；
を含む、命令を記憶させた非一時的な機械可読媒体。
【請求項３６】
コード化された設計構造を有する非一時的な機械可読媒体であって、
前記設計構造は、コンピュータ支援設計システムで処理されたときに、デジタル補償器の機械実行可能な表示を生成する要素を含み、
ここで、前記デジタル補償器は、
希望信号を受け取る入力装置と、
被補償信号を提供する出力装置と、
複数の係数の記憶装置と、
前記入力装置と前記出力装置に連結され、希望信号を処理して、前記複数の係数に応じた前記被補償信号を生成するための信号処理装置と、
を備え、
前記信号処理装置は、基底合成ステージに連結された基底生成ステージを備え、
前記基底生成ステージは、複数の基底生成要素を含み、前記複数の基底生成要素の各々が、前記入力装置に提供される前記希望信号に依存する基底信号を生成するように構成され、
前記基底生成要素の少なくともいくつかは、前記希望信号の非線形変換を生成するように構成された非線形要素と、前記非線形変換の時間フィルタリングを生成するように構成されたフィルタとをそれぞれ備え、
前記基底合成ステージは、前記基底生成要素から前記複数の基底信号を受け取り、且つ、前記複数の係数に応じて前記基底信号から合成信号を生成するように構成され、
前記デジタル補償器は、前記基底合成ステージによって生成された前記合成信号に応じて、前記出力装置で前記被補償信号を提供するように構成されている、非一時的な機械可読媒体。